(57)【要約】【課題】  あらゆる太さのワイヤーに使用可能であって、しかも、作業現場で簡単に巻きつけることができ、どのような巻きつけ状況でも点検日を確認できる点検確認テープを提供する。【解決手段】  粘着性のテープであって、日や曜日あるいは月を特定するための文字や記号等からなる識別要素４を、テープの長手方向に隣接して整列させる。また、上記粘着性のテープであって、日や曜日あるいは月を特定するための文字や記号等からなる識別要素４を、テープの長手方向に重ねて整列させる。また、上記識別要素４は、テープの長手方向に複数列設けるとともに、一の列の文字や記号が他の列の文字や記号に対して、長手方向において重なる関係にする。【選択図】  図１
2007284479.tif 000002
【特許請求の範囲】
【請求項１】
粘着性のテープであって、日や曜日あるいは月を特定するための文字や記号等からなる識別要素を、テープの長手方向に隣接して整列させた台付けあるいは玉掛け等のワイヤーに用いる点検確認テープ。
【請求項２】
粘着性のテープであって、日や曜日あるいは月を特定するための文字や記号等からなる識別要素を、テープの長手方向に重ねて整列させた台付けあるいは玉掛け等のワイヤーに用いる点検確認テープ。
【請求項３】
日や曜日あるいは月を特定するための文字や記号等からなる識別要素は、テープの長手方向に複数列設けるとともに、一の列の文字や記号が他の列の文字や記号に対して、長手方向において重なる関係にした上記請求項１または２記載の台付けあるいは玉掛け等のワイヤーに用いる点検確認テープ。
【発明の詳細な説明】
【技術分野】
【０００１】
この発明は、台付けあるいは玉掛け等のワイヤーの安全点検を確認するためのテープに関する。
【背景技術】
【０００２】
建設現場において使用される作業機は、作業開始前に安全点検を毎日行うことが法律によって義務付けられている。
特に、台付けあるいは玉掛け等のワイヤーは作業開始前に安全点検を行うとともに、安全点検を行ったことを明確に示すことまでが求められている。そこで、各作業現場においては、安全点検後にワイヤーに粘着テープを巻きつけて、安全点検を行ったことを確認できるようにしている。具体的には、週毎あるいは月毎に粘着テープの色を定めておき、作業者が安全点検を行ったら、前日に巻きつけた粘着テープをはがすとともに、当該週あるいは月に該当する色の粘着テープを新たにワイヤーに巻きつける。
したがって、もし、ワイヤーに巻きつけられている粘着テープの色が、予め定められた当該週あるいは月の色と異なっていれば、言い換えれば、ワイヤーに巻きつけされた粘着テープの色が、前週あるいは前月の色のままであれば、安全点検を行っていないということが客観的に明らかとなる。このように、作業現場においてワイヤーの安全点検が行われているかを、第三者が確認できるようにして、作業員の安全点検を促進するようにしている。
【０００３】
ただし、台付けあるいは玉掛け等のワイヤーの安全点検の確認に使用する粘着テープは、上記のように週毎あるいは月毎に色を変更するようにしているので、毎日の安全点検がきちんと行われているかどうかまでは当該粘着テープによって確認することができない。
なぜなら、粘着テープの色を週毎に変更する場合には、同一週においては毎日同じ色の粘着テープが巻きつけられるので、ワイヤーに巻きつけられている粘着テープが、その週の何曜日に巻きつけられたのかを判断することができないためである。
つまり、上記のような方法によれば、例えば月曜日に粘着テープを巻きつけてしまい、そのテープがワイヤーに巻きついたままになっていれば、その後金曜日まで粘着テープを新たに巻きつけなくても、第三者には安全点検を行っているように見えてしまう。
【０００４】
そこで、安全点検が毎日行われていることを確認すべく、例えば、図６に示す点検確認テープ１を用いることが考えられる。この点検確認テープ１は、テープの長手方向ｘに曜日等を表示する文字２を所定の間隔３を保って整列させたものである。
このように曜日等を表示する文字２が印字された粘着テープ１をワイヤーに巻きつければ、安全点検が行われたかを日毎に確認することができ、作業員が確実に安全点検を行うようにすることができる。
なお、先行文献に関する調査は特にしていない。
【発明の開示】
【発明が解決しようとする課題】
【０００５】
上記点検確認テープ１をワイヤーに巻きつける際には、通常、点検確認テープ１がワイヤーから取れてしまわないように、２〜３重にぐるぐる巻きにする。そして、点検確認テープ１を巻きつけたときに、文字２が点検確認テープ１の最外周面に位置すれば、当該文字２によって安全点検がいつなされたかを第三者が確認することができる。
しかし、上記の点検確認テープ１を巻きつけるワイヤーは、直径約３ｍｍ程度のものから数十ｍｍに達するものまで、用途によってさまざまであり、巻きつけるワイヤーによっては点検確認テープ１を巻きつけたときに文字２が見えなくなってしまうおそれがある。
【０００６】
例えば、図７に示すように、直径が小さく円周長さがＬ１のワイヤーＷに点検確認テープ１を巻きつける。この場合において、点検確認テープ１がワイヤーＷに対してａ点からｂ点まで巻きついたとき、丁度ワイヤーＷを一周するとともに、この時点では、文字２がワイヤーＷの表面に表れている。しかし、点検確認テープ１がワイヤーＷから取れてしまわないように、ｂ点からｃ点まで点検確認テープ１をさらにもう一周させると、点検確認テープ１の間隔３の部分が上記の文字２の上に重なってしまい、当該文字２が見えなくなってしまう。
このように、点検確認テープ１の最外周面に間隔３が位置してしまうと、文字２が点検確認テープ１の最外周面に表れなくなり、結局、安全点検がいつ行われたかを第三者が確認できなくなってしまう問題がある。
また、文字２が最外周面に表れるようにして巻きつけようとすると、間隔３が文字２の上に重ならないように点検確認テープ１をｄ点で切り取らなければならず、巻きつけ作業が面倒になってしまうという問題がある。
【０００７】
さらに、上記点検確認テープ１をワイヤーＷに巻きつけて、そのテープ１をカットするとき、間隔３の部分がワイヤーＷに巻きつけられ、文字２の部分がカット位置に対応したとき、その文字２の部分をカットしてしまうと、曜日を特定するための文字２を判読できなくなることもある。文字２を判読できなければ、結局は、点検日を確認できないことになるという問題が発生する。
この発明の目的は、あらゆる太さのワイヤーに使用可能であって、しかも、作業現場で簡単に巻きつけることができ、どのような巻きつけ状況でも点検日を確認できる点検確認テープを提供することである。
【課題を解決するための手段】
【０００８】
第１の発明は、粘着性のテープであって、日や曜日あるいは月を特定するための文字や記号等からなる識別要素をテープの長手方向に隣接して整列させた点に特徴を有する。
第２の発明は、粘着性のテープであって、日や曜日あるいは月を特定するための文字や記号等からなる識別要素をテープの長手方向に重ねて整列させた点に特徴を有する。
第３の発明は、日や曜日あるいは月を特定するための文字や記号等からなる識別要素はテープの長手方向に複数列設けるとともに、一の列の文字や記号が他の列の文字や記号に対して、長手方向において重なる関係にした点に特徴を有する。
【発明の効果】
【０００９】
第１の発明によれば、日や曜日あるいは月を特定するための文字や記号等からなる識別要素をテープの長手方向に隣接して整列させたので、細いワイヤーに巻きつけても点検確認テープの最外周面に確実に日や曜日あるいは月を特定するための文字や記号が表れる。したがって、どのような太さのワイヤーであっても、安全点検がいつ行われたかを第三者が確認することが確実にできる。
また、どこで切っても日や曜日あるいは月を特定するための文字や記号を認識することができるので、点検確認テープの巻きつけ作業時に切断位置を気にする必要がなくなり、巻きつけ作業を簡単にすることができる。
【００１０】
また、第２の発明によれば、日や曜日あるいは月を特定するための文字や記号等からなる識別要素をテープの長手方向に重ねて整列させたので、ワイヤーに点検確認テープを巻きつけた際に、テープの最外周面に必ず日や曜日あるいは月を特定するための文字や記号等からなる識別要素が表れる。したがって、点検確認テープの巻きつけ作業を一層簡単にすることができる。
また、第３の発明によれば、日や曜日あるいは月を特定するための文字や記号等からなる識別要素をテープの長手方向に複数列設けるとともに、一の列の文字や記号が他の列の文字や記号に対して、長手方向において重なる関係にしたので、文字や記号の幅をワイヤーの円周長さ以上にした場合であっても、切断位置に関わらず日や曜日あるいは月等を表示する文字や記号等からなる識別要素をはっきりと認識することができる。
したがって、日や曜日あるいは月を特定するための文字や記号等からなる識別要素を大きく表示することができ、安全点検がいつ行われたかを第三者がより簡単に確認することができる。
【発明を実施するための最良の形態】
【００１１】
図１，２を用いてこの発明の第１実施形態について説明する。
図１に示す点検確認テープＴ１は、粘着性のテープであって、その長手方向ｘに同一の文字からなる識別要素４を一列に整列している。この点検確認テープＴ１においては、水曜日を表す「水」という文字が印字されている。ただし、この識別要素４は、曜日や日付等の一定の周期内において、誰もが同じ日を指すものと認識できるものであればどのようなものであっても構わない。例えば、曜日を英語で表記したものであってもよいし、日付を数字で表記したものであってもよい。さらには、特定の作業現場においてのみ用いられる特殊な記号や図柄、形態であっても、当該作業現場の作業員であれば、同じ日を表していると認識できるものならば構わない。
【００１２】
また、曜日等を表示する識別要素４は一列に整列していること上記したとおりであるが、各識別要素４はそれぞれ隣り合う識別要素４と隣接しており、各識別要素４，４間には隙間が全く形成されていない。このように、各識別要素４，４間に隙間を形成しないことによって、点検確認テープＴ１の長手方向ｘに対して、どこで切ったとしても識別要素４を確実に判別することが可能となる。
【００１３】
上記のようにした点検確認テープＴ１は、台付けあるいは玉掛け等のワイヤーの安全点検を行う際に次のようにして使用する。
すなわち、予め作業現場には、「日」「月」「火」「水」「木」「金」「土」の曜日を表示する識別要素４が記された７種類の点検確認テープＴ１を用意しておく。そして、作業員は、当日の曜日を確認した後、その曜日を表示する識別要素４が表示された点検確認テープＴ１を持って、つまり、当該作業日が水曜日であれば「水」と表示された点検確認テープＴ１を持って、ワイヤーの安全点検を行う。安全点検を行った結果、ワイヤーに異常がなければ、安全点検を行ったことを第三者が確認できるように、当該ワイヤーに点検確認テープＴ１を巻きつける。このとき、ワイヤーに巻きつけた点検確認テープＴ１が簡単に取れてしまわないように、点検確認テープＴ１はワイヤーに対して２〜３重にして巻きつけるとともに、作業員は適当な位置で手や刃物等で点検確認テープＴ１を切断する。
【００１４】
また、その翌日、例えば木曜日に当該ワイヤーを使用する場合には、前日水曜日にワイヤーに巻きつけた「水」と表示された点検確認テープＴを取り除いて、「木」と表示された点検確認テープＴを新たに巻きつける。
このように、ワイヤーの安全点検を行った曜日が表示された点検確認テープＴ１を巻きつけていけば、何曜日に安全点検を行ったか、言い換えれば、毎日安全点検を行っているかを第三者が簡単に確認することができる。
【００１５】
なお、安全点検を行うワイヤーは、作業機によってその直径が異なるが、ワイヤーの直径が細いものであっても太いものであっても、点検確認テープＴ１の使用方法は同じである。
すなわち、図２に示すように、直径が小さく円周長さがＬ１のワイヤーＷにａ点からｃ点まで点検確認テープＴ１を巻きつけると、丁度点検確認テープＴ１がワイヤーＷを二周する。この時点で、ワイヤーＷに巻きついた点検確認テープＴ１の最外周面にはｂ点からｃ点まで表れるので、ｂ点からｃ点の範囲内にある識別要素４をはっきりと判別することができる。
なお、識別要素４の大きさは適宜決めればよいが、識別要素４の幅をワイヤーの円周長さＬ１の２／３以下程度にしておけば、点検確認テープＴ１をどの位置で切ったとしても、識別要素４をはっきりと判別することが可能である。したがって、点検確認テープＴ１の識別要素４を、作業現場で使用するもっとも細いワイヤーの円周長さの２／３程度にしておけば、どのようなワイヤーであっても確実に文字を判別することが可能になる。
【００１６】
このように、隣り合う識別要素４，４間には隙間がないため、隙間によって識別要素４が隠れてしまうことがない。言い換えれば、曜日等を表示する識別要素４を点検確認テープＴ１の長手方向ｘに隣接して整列させたので、直径の細いワイヤーに巻きつけても点検確認テープＴ１の最外周面に確実に曜日等を表示する文字が表れる。したがって、どのような太さのワイヤーであっても、安全点検を行ったことを第三者が確実に確認することができる。
また、どこで切っても曜日等を表示する識別要素４を判別することができるので、点検確認テープＴ１の巻きつけ作業時に切断位置を気にする必要がなくなり、巻きつけ作業を簡単にすることができる。
【００１７】
なお、上記第１実施形態においては、長手方向ｘに隣り合う文字を隣接させたが、文字と文字の端部近傍を重ねるようにしてもよい。このようにすれば、文字を小さくしなくても、点検確認テープＴ１の最外周面により確実に文字を表すことができる。
【００１８】
図３，４を用いてこの発明の第２実施形態について説明する。
なお、第２実施形態においては、上記第１実施形態と曜日等を表示する識別要素４の整列方法のみ異なり、その他の構成は全て同じである。したがって、同様の構成要素については同様の符号を付して説明するとともに、詳細な説明は省略する。
図３に示す点検確認テープＴ２は、粘着性のテープであって、その長手方向ｘに火曜日を表す「火」という同一の識別要素４をＡ，Ｂの二列設けるとともに、各列の識別要素４を長手方向ｘにずらして整列させている。そして、Ａ列の識別要素４がＢ列の識別要素４に対して、長手方向ｘにおいて長さｎ分だけ重なるようにしている。
【００１９】
このように識別要素４を二列に整列させ、しかもＡ列とＢ列の識別要素４が長手方向ｘにおいて長さｎ分だけ重なる関係にしたのは次の理由からである。
すなわち、点検確認テープＴ２に印字する識別要素４は、大きいほど見やすくなるので、太いワイヤーに使用する場合には識別要素４を大きくする方が好ましい。しかし、識別要素４を大きくしてしまうと、同じ点検確認テープＴ２を細いワイヤーに巻きつけた場合に、識別要素４を判別することができなくなってしまう。
【００２０】
例えば、図４に示すように、円周長さＬ１のワイヤーＷに、円周長さＬ１よりも幅が大きく、しかも同じ大きさの識別要素４を整列させた点検確認テープＴ１，Ｔ２を、ａ点からｃ点まで巻きつける。すると、点検確認テープＴ１においては、ｂ点からｃ点までがワイヤーＷの最外周面に位置することになるので、識別要素４の判別がほとんどできなくなってしまう。
これに対して、点検確認テープＴ２においても、同じくｂ点からｃ点までがワイヤーＷの最外周面に位置することになるので、Ａ列の識別要素４を判別することはほとんどできない。しかし、Ｂ列の識別要素４はその両端がわずかに切断されることになるが、識別要素４がワイヤーＷの最外周面において、はっきりと判別可能に表れる。
【００２１】
このように、第２実施形態によれば、識別要素４の幅をワイヤーＷの円周長さＬ１以上にした場合であっても、切断位置に関わらず曜日等を表示する識別要素４をはっきりと認識することができる。
したがって、曜日等を表示する識別要素４を大きく表示することができ、安全点検がいつ行われたかを第三者がより簡単に確認することができる。
【００２２】
なお、上記第２実施形態によれば、Ａ列およびＢ列の識別要素４を長手方向ｘに隣接して表示するようにしているが、長手方向ｘに対して隣り合う識別要素４，４の端部が重なるように表示しても構わない。
また、Ａ列およびＢ列の識別要素４は同じ大きさで表示しているが、Ａ列およびＢ列の識別要素４はそれぞれ異なる大きさにしても構わない。したがって、Ａ列あるいはＢ列のどちらか一方に整列する文字が、長手方向ｘに対して隣接あるいは重なるようにして、どちらか他方に整列する文字は長手方向ｘに対して隣り合った文字間に間隔が形成されてもよい。いずれにしても、一の列の文字が他の列の文字に対して、長手方向ｘにおいて重なる関係であればよい。
しかも、この第２実施形態においては、文字を二列に整列したが、三列以上の複数列で表示しても構わない。
【００２３】
また、上記第１，２実施形態においては、文字が長手方向ｘに直交する方向を正方向としたが、他の実施形態として、図５に示すように、文字が長手方向ｘを正方向とするようにしてもよい。このようにした方が、隣り合う識別要素４が隣接したり、あるいは重なったりしても文字の種類によって見やすくなる。また、高さが低く、しかも幅が長い文字を使用する場合には、文字の向きを図５のようにすることで、一文字が占有する長手方向ｘの範囲を狭くすることができる。このように、文字の種類によって文字の正方向を変えれば、直径が細いワイヤーに巻きつけたとしても、文字の途中で切断されなくなり、文字の判別がより明確にできるようになる。
ただし、この場合であっても、長手方向に隣り合う文字間には隙間が形成されないようにしなければならない。
【図面の簡単な説明】
【００２４】
【図１】第１実施形態における点検確認テープを示す図である。
【図２】第１実施形態における点検確認テープをワイヤーに巻きつける図である。
【図３】第２実施形態における点検確認テープを示す図である。
【図４】第１，２実施形態における点検確認テープをワイヤーに巻きつける図である。
【図５】別の実施形態における点検確認テープを示す図である。
【図６】従来の点検確認テープを示す図である。
【図７】従来の点検確認テープをワイヤーに巻きつける図である。
【符号の説明】
【００２５】
４          識別要素
Ｔ１，Ｔ２  点検確認テープ
Ｗ          ワイヤー
Ｌ１        ワイヤーの円周長さ
【図１】
2007284479.tif 000003
【図２】
2007284479.tif 000004
【図３】
2007284479.tif 000005
【図４】
2007284479.tif 000006
【図５】
2007284479.tif 000007
【図６】
2007284479.tif 000008
【図７】
2007284479.tif 000009